【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
ビデオデータのルーマ成分の区分化が前記ビデオデータのクロマ成分の区分化から分離される、コーディングスキームにおける前記ビデオデータのクロマブロックをイントラ復号する方法であって、
前記クロマブロックをイントラ予測するための複数の導出モード（ＤＭ）の候補リストを生成すること、ここにおいて、イントラ予測モードは、前記クロマブロックに対応するビデオデータのルーマブロックをイントラ予測するために使用される場合、前記ビデオデータのクロマブロックのためのＤＭである、と、
符号化ビットストリームから、前記クロマブロックがＤＭを使用してイントラ予測されるかどうかを示すフラグを復号することと、
クロマブロックがＤＭを使用してイントラ予測されることを示す前記フラグに応答して、前記符号化ビットストリームから、前記候補リストの前記複数のＤＭのうちの１つのＤＭが前記クロマブロックをイントラ予測するために使用されることを示すインデックス値を復号することと、
前記インデックス値によって示された前記候補リストの前記ＤＭにしたがって前記クロマブロックを再構築することと
を備える、方法。
【請求項２】
ビデオデータのルーマ成分の区分化が前記ビデオデータのクロマ成分の区分化から分離される、コーディングスキームにおける前記ビデオデータのクロマブロックをイントラ符号化する方法であって、
前記クロマブロックをイントラ予測するための複数の導出モード（ＤＭ）の候補リストを生成すること、ここにおいて、イントラ予測モードは、前記クロマブロックに対応するビデオデータのルーマブロックをイントラ予測するために使用される場合、前記ビデオデータのクロマブロックのためのＤＭである、と、
前記候補リストの前記複数のＤＭのうちの１つを使用して前記クロマブロックをイントラ符号化すると決定することと、
前記候補リストの前記複数のＤＭのうちの１つを使用して前記クロマブロックをイントラ符号化するとの決定に基づいて、前記クロマブロックがＤＭを使用してイントラ符号化することを示すフラグを符号化し、前記クロマブロックをイントラ予測するために使用されるべき前記候補リストの前記複数のＤＭのうちの前記１つを識別するインデックス値を符号化することと、
前記候補リストの前記複数のＤＭのうちの前記１つを使用して前記クロマブロックをイントラ符号化することと
を備える、方法。
【請求項３】
前記候補リストに含まれる前記複数のＤＭは、前記対応するルーマブロックの中央位置に関連する第１の予測モード、前記対応するルーマブロックの左上位置に関連する第２の予測モード、前記対応するルーマブロックの右上位置に関連する第３の予測モード、前記対応するルーマブロックの左下位置に関連する第４の予測モード、または前記対応するルーマブロックの右下位置に関連する第５の予測モードのうちの１つまたは複数を含む、
請求項１または２に記載の方法。
【請求項４】
前記クロマブロックが線形モデル（ＬＭ）モードを使用して符号化されるかどうかを示す１ビットフラグを、符号化済みビデオビットストリームにおいて、受信することと、
前記候補リストの前記複数のＤＭの各それぞれのＤＭを示すデータを、前記符号化済みビデオビットストリームにおいて、受信すること、ここにおいて、前記候補リストを作成することは、前記複数のＤＭの各それぞれのＤＭを示す前記受信したデータを再構築することを備える、と
をさらに備える、請求項１に記載の方法。
【請求項５】
前記複数のＤＭのうちの少なくとも２つのＤＭが同一であると決定することと、
前記少なくとも２つの同一のＤＭのうちの厳密に１つのＤＭを前記候補リストに含めることと
をさらに備える、請求項１または２に記載の方法。
【請求項６】
前記クロマブロックが線形モデル（ＬＭ）モードを使用して符号化されるかどうかを示す１ビットフラグを、前記符号化済みビデオビットストリームにおいて、シグナリングすることと、
前記候補リストの前記複数のＤＭの各それぞれのＤＭを示すデータを、前記符号化済みビデオビットストリームにおいて、シグナリングすることと
をさらに備える、請求項１に記載の方法。
【請求項７】
前記候補リストは、前記複数のＤＭの各々とは異なる１つまたは複数のクロマイントラ予測モードをさらに含む、
請求項１に記載の方法。
【請求項８】
ビデオデータのルーマ成分の区分化が前記ビデオデータのクロマ成分の区分化から分離される、コーディングスキームにおける前記ビデオデータのクロマブロックをイントラ復号するためのデバイスであって、
ビデオデータを記憶するように構成されたメモリと、
前記メモリと通信する処理回路と
を備え、前記処理回路は、
前記クロマブロックをイントラ予測するための複数の導出モード（ＤＭ）の候補リストを生成すること、ここにおいて、イントラ予測モードは、前記クロマブロックに対応するビデオデータのルーマブロックをイントラ予測するために使用される場合、前記ビデオデータのクロマブロックのためのＤＭである、と、
符号化ビットストリームから、前記クロマブロックがＤＭを使用してイントラ予測されるかどうかを示すフラグを復号することと、
クロマブロックがＤＭを使用してイントラ予測されることを示す前記フラグに応答して、前記符号化ビットストリームから、前記候補リストの前記複数のＤＭのうちの１つのＤＭが前記クロマブロックをイントラ予測するために使用されることを示すインデックス値を復号することと、
前記インデックス値によって示された前記候補リストの前記ＤＭにしたがって前記クロマブロックを再構築することと
を行うように構成される、デバイス。
【請求項９】
ビデオデータのルーマ成分の区分化が前記ビデオデータのクロマ成分の区分化から分離される、コーディングスキームにおける前記ビデオデータのクロマブロックをイントラ符号化するためのデバイスであって、
ビデオデータを記憶するように構成されたメモリと、
前記メモリと通信する処理回路と
を備え、前記処理回路は、
前記クロマブロックをイントラ予測するための複数の導出モード（ＤＭ）の候補リストを生成すること、ここにおいて、イントラ予測モードは、前記クロマブロックに対応するビデオデータのルーマブロックをイントラ予測するために使用される場合、前記ビデオデータのクロマブロックのためのＤＭである、と、
前記候補リストの前記複数のＤＭのうちの１つを使用して前記クロマブロックをイントラ符号化すると決定することと、
前記候補リストの前記複数のＤＭのうちの１つを使用して前記クロマブロックをイントラ符号化するとの決定に基づいて、前記クロマブロックがＤＭを使用してイントラ符号化することを示すフラグを符号化し、前記クロマブロックをイントラ予測するために使用されるべき前記候補リストの前記複数のＤＭのうちの前記１つを識別するインデックス値を符号化することと、
前記候補リストの前記複数のＤＭのうちの前記１つを使用して前記クロマブロックをイントラ符号化することと
を行うように構成される、デバイス。
【請求項１０】
前記候補リストに含まれる前記複数のＤＭは、前記対応するルーマブロックの中央位置に関連する第１の予測モード、前記対応するルーマブロックの左上位置に関連する第２の予測モード、前記対応するルーマブロックの右上位置に関連する第３の予測モード、前記対応するルーマブロックの左下位置に関連する第４の予測モード、または前記対応するルーマブロックの右下位置に関連する第５の予測モードのうちの１つまたは複数を含む、
請求項８または９に記載のデバイス。
【請求項１１】
前記処理回路は、
前記クロマブロックが線形モデル（ＬＭ）モードを使用して符号化されるかどうかを示す１ビットフラグを、前記符号化済みビデオビットストリームにおいて、受信することと、
前記候補リストの前記複数のＤＭの各それぞれのＤＭを示すデータを、前記符号化済みビデオビットストリームにおいて、受信すること、ここにおいて、前記候補リストを作成するために、前記処理回路は、前記複数のＤＭの各それぞれのＤＭを示す前記受信したデータを再構築するように構成される、と
を行うようにさらに構成される、請求項８に記載のデバイス。
【請求項１２】
前記１つまたは複数のプロセッサは、
前記複数のＤＭのうちの少なくとも２つのＤＭが同一であると決定することと、
前記少なくとも２つの同一のＤＭのうちの厳密に１つのＤＭを前記候補リストに含めることと
を行うようにさらに構成される、請求項８または９に記載のデバイス。
【請求項１３】
前記処理回路は、
前記クロマブロックが線形モデル（ＬＭ）モードを使用して符号化されるかどうかを示す１ビットフラグを、前記符号化済みビデオビットストリームにおいて、シグナリングすることと、
前記候補リストの前記１つまたは複数のＤＭの各それぞれのＤＭを示すデータを、前記符号化済みビデオビットストリームにおいて、シグナリングすることと
を行うようにさらに構成される、請求項９に記載のデバイス。
【請求項１４】
前記候補リストは、前記複数のＤＭのうちの各々と異なる１つまたは複数のクロマイントラ予測モードを含み、
前記候補リストの少なくとも１つのそれぞれのクロマイントラ予測モードは、クロミナンスデータを予測するためにのみ使用されるクロマ固有の予測モードである、
請求項８または９に記載のデバイス。
【請求項１５】
１つまたは複数のプロセッサによって実行されると、請求項１乃至７のいずれか１項に記載の方法を実行する命令を記憶するコンピュータ可読媒体。
【手続補正２】
【補正対象書類名】明細書
【補正対象項目名】０２２７
【補正方法】変更
【補正の内容】
【０２２７】
[0221]様々な例が説明されている。これらの例および他の例は、以下の特許請求の範囲の範囲内である。
以下に、本願出願の当初の特許請求の範囲に記載された発明を付記する。
［Ｃ１］
ビデオデータをコード化する方法であって、
前記ビデオデータのルーマブロックを予測するのに利用可能な複数の導出モード（ＤＭ）が前記ルーマブロックに対応する前記ビデオデータのクロマブロックを予測するのにも利用可能であると決定することと
前記クロマブロックに関して予測モードの候補リストを作成すること、前記候補リストは、前記クロマブロックを予測するのに利用可能な前記複数のＤＭのうちの１つまたは複数のＤＭを含む、と、
前記候補リストの前記１つまたは複数のＤＭのうちの任意のＤＭを使用して前記クロマブロックをコード化すると決定することと、
前記候補リストの前記１つまたは複数のＤＭのうちの任意のＤＭを使用して前記クロマブロックをコード化するとの前記決定に基づいて、前記クロマブロックをコード化するために使用されるべき、前記候補リストの選択されたＤＭを識別するインジケーションをコード化することと、
前記候補リストの前記選択されたＤＭにしたがって前記クロマブロックをコード化することと
を備える方法。
［Ｃ２］
前記クロマブロックをコード化することは、前記クロマブロックを復号することを備え、前記方法は、
前記クロマブロックが前記候補リストの前記１つまたは複数のＤＭのうちの任意のＤＭを使用して符号化されることを示す１ビットフラグを、符号化済みビデオビットストリームにおいて、受信すること、ここにおいて、前記候補リストの前記１つまたは複数のＤＭのうちの任意のＤＭを使用して前記クロマブロックをコード化すると決定することは、前記受信した１ビットフラグの値に基づく、と、
前記クロマブロックを復号するために使用されるべき、前記候補リストの前記選択されたＤＭを識別するインデックス値を、前記符号化済みビデオビットストリームにおいて、受信すること、ここにおいて、前記選択されたＤＭを識別する前記インジケーションをコード化することは、前記受信したインデックス値を再構築することを備える、と
をさらに備える、［Ｃ１］に記載の方法。
［Ｃ３］
前記候補リストに含まれる前記１つまたは複数のＤＭは、前記対応するルーマブロックの中央位置に関連する第１の予測モード、前記対応するルーマブロックの左上位置に関連する第２の予測モード、前記対応するルーマブロックの右上位置に関連する第３の予測モード、前記対応するルーマブロックの左下位置に関連する第４の予測モード、または前記対応するルーマブロックの右下位置に関連する第５の予測モードのうちの１つまたは複数を含む、
［Ｃ１］に記載の方法。
［Ｃ４］
前記クロマブロックをコード化することは、前記クロマブロックを復号することを備え、前記方法は、
前記クロマブロックが線形モデル（ＬＭ）モードを使用して符号化されるかどうかを示す１ビットフラグを、符号化済みビデオビットストリームにおいて、受信することと、
前記候補リストの前記１つまたは複数のＤＭの各それぞれのＤＭを示すデータを、前記符号化済みビデオビットストリームにおいて、受信すること、ここにおいて、前記候補リストを作成することは、前記１つまたは複数のＤＭの各それぞれのＤＭを示す前記受信したデータを再構築することを備える、と
をさらに備える、［Ｃ１］に記載の方法。
［Ｃ５］
コード化することは、符号化することを備え、前記方法は、
前記候補リストの前記１つまたは複数のＤＭのうちの任意のＤＭを使用して前記クロマブロックをコード化するとの前記決定に基づいて、前記クロマブロックが前記候補リストの前記１つまたは複数のＤＭのうちの任意のＤＭを使用して符号化されることを示す１ビットフラグを、符号化済みビデオビットストリームにおいて、シグナリングすることと、
前記候補リストの前記１つまたは複数のＤＭのうちの任意のＤＭを使用して前記クロマブロックをコード化するとの前記決定に基づいて、前記クロマブロックを復号するために使用されるべき、前記候補リストの前記選択されたＤＭを識別するインデックス値を、前記符号化済みビデオビットストリームにおいて、シグナリングすることと
をさらに備える、［Ｃ１］に記載の方法。
［Ｃ６］
前記１つまたは複数のＤＭのうちの少なくとも２つのＤＭが同一であると決定することと、
前記少なくとも２つの同一のＤＭのうちの厳密に１つのＤＭを前記候補リストに含めることと
をさらに備える、［Ｃ１］に記載の方法。
［Ｃ７］
前記クロマブロックをコード化することは、前記クロマブロックを符号化することを備え、前記方法は、
前記クロマブロックが線形モデル（ＬＭ）モードを使用して符号化されるかどうかを示す１ビットフラグを、符号化済みビデオビットストリームにおいて、シグナリングすることと、
前記候補リストの前記１つまたは複数のＤＭの各それぞれのＤＭを示すデータを、前記符号化済みビデオビットストリームにおいて、シグナリングすることと
をさらに備える、［Ｃ１］に記載の方法。
［Ｃ８］
前記候補リストは、前記１つまたは複数のＤＭの各々とは異なる１つまたは複数のクロマイントラ予測モードをさらに含む、
［Ｃ１］に記載の方法。
［Ｃ９］
前記クロマイントラ予測モードの各々は、前記クロマブロックの隣接クロマブロックを予測するために使用されるモードに対応する、
［Ｃ８］に記載の方法。
［Ｃ１０］
前記候補リストの少なくとも１つのそれぞれのクロマイントラ予測モードは、クロミナンスデータを予測するためにのみ使用されるクロマ固有の予測モードである、
［Ｃ８］に記載の方法。
［Ｃ１１］
デバイスであって、
ビデオデータを記憶するように構成されたメモリと、
前記メモリと通信する処理回路と
を備え、前記処理回路は、
前記メモリに記憶された前記ビデオデータのルーマブロックを予測するのに利用可能な複数の導出モード（ＤＭ）が、前記メモリに記憶された前記ビデオデータのクロマブロックを予測するのにも利用可能であると決定すること、ここで、前記クロマブロックは、前記ルーマブロックに対応する、と、
前記クロマブロックに関して予測モードの候補リストを作成すること、ここで、前記候補リストは、前記クロマブロックを予測するのに利用可能な前記複数のＤＭのうちの１つまたは複数のＤＭを含む、と、
前記候補リストの前記１つまたは複数のＤＭのうちの任意のＤＭを使用して前記クロマブロックをコード化すると決定することと、
前記候補リストの前記１つまたは複数のＤＭのうちの任意のＤＭを使用して前記クロマブロックをコード化するとの前記決定に基づいて、前記クロマブロックをコード化するために使用されるべき、前記候補リストの選択されたＤＭを識別するインジケーションをコード化することと、
前記候補リストの前記選択されたＤＭにしたがって前記クロマブロックをコード化することと
を行うように構成される、デバイス。
［Ｃ１２］
前記クロマブロックをコード化するために、前記処理回路は、前記クロマブロックを復号するように構成され、前記処理回路は、
前記クロマブロックが前記候補リストの前記１つまたは複数のＤＭのうちの任意のＤＭを使用して符号化されることを示す１ビットフラグを、符号化済みビデオビットストリームにおいて、受信すること、ここにおいて、前記候補リストの前記１つまたは複数のＤＭのうちの任意のＤＭを使用して前記クロマブロックを復号するとの決定は、前記受信した１ビットフラグの値に基づく、と、
前記クロマブロックを復号するために使用されるべき、前記候補リストの前記選択されたＤＭを識別するインデックス値を、前記符号化済みビデオビットストリームにおいて、受信すること、ここにおいて、前記選択されたＤＭを識別する前記インジケーションを復号するために、前記処理回路は、前記受信したインデックス値を再構築するように構成される、と、
を行うようにさらに構成される、［Ｃ１１］に記載のデバイス。
［Ｃ１３］
前記候補リストに含まれる前記１つまたは複数のＤＭは、前記対応するルーマブロックの中央位置に関連する第１の予測モード、前記対応するルーマブロックの左上位置に関連する第２の予測モード、前記対応するルーマブロックの右上位置に関連する第３の予測モード、前記対応するルーマブロックの左下位置に関連する第４の予測モード、または前記対応するルーマブロックの右下位置に関連する第５の予測モードのうちの１つまたは複数を含む、
［Ｃ１２］に記載のデバイス。
［Ｃ１４］
前記クロマブロックをコード化するために、前記処理回路は、前記クロマブロックを復号するように構成され、前記処理回路は、
前記クロマブロックが線形モデル（ＬＭ）モードを使用して符号化されるかどうかを示す１ビットフラグを、符号化済みビデオビットストリームにおいて、受信することと、
前記候補リストの前記１つまたは複数のＤＭの各それぞれのＤＭを示すデータを、前記符号化済みビデオビットストリームにおいて、受信すること、ここにおいて、前記候補リストを作成するために、前記処理回路は、前記１つまたは複数のＤＭの各それぞれのＤＭを示す前記受信したデータを再構築するように構成される、と
を行うようにさらに構成される、［Ｃ１１］に記載のデバイス。
［Ｃ１５］
コード化するために、前記処理回路は、符号化するように構成され、前記処理回路は、
前記候補リストの前記１つまたは複数のＤＭのうちの任意のＤＭを使用して前記クロマブロックをコード化するとの前記決定に基づいて、前記クロマブロックが前記候補リストの前記１つまたは複数のＤＭのうちの任意のＤＭを使用して符号化されることを示す１ビットフラグを、符号化済みビデオビットストリームにおいて、シグナリングすることと、
前記候補リストの前記１つまたは複数のＤＭのうちの任意のＤＭを使用して前記クロマブロックをコード化するとの前記決定に基づいて、前記クロマブロックを復号するために使用されるべき、前記候補リストの前記選択されたＤＭを識別するインデックス値を、前記符号化済みビデオビットストリームにおいて、シグナリングすることと
を行うようにさらに構成される、［Ｃ１１］に記載のデバイス。
［Ｃ１６］
前記１つまたは複数のプロセッサは、
前記１つまたは複数のＤＭのうちの少なくとも２つのＤＭが同一であると決定することと、
前記少なくとも２つの同一のＤＭのうちの厳密に１つのＤＭを前記候補リストに含めることと
を行うようにさらに構成される、［Ｃ１５］に記載のデバイス。
［Ｃ１７］
前記クロマブロックをコード化するために、前記処理回路は、前記クロマブロックを符号化するように構成され、前記処理回路は、
前記クロマブロックが線形モデル（ＬＭ）モードを使用して符号化されるかどうかを示す１ビットフラグを、符号化済みビデオビットストリームにおいて、シグナリングすることと、
前記候補リストの前記１つまたは複数のＤＭの各それぞれのＤＭを示すデータを、前記符号化済みビデオビットストリームにおいて、シグナリングすることと
を行うようにさらに構成される、［Ｃ１１］に記載のデバイス。
［Ｃ１８］
前記候補リストは、
前記１つまたは複数のＤＭのうちの少なくとも２つのＤＭが同一であると決定することと、
前記少なくとも２つの同一のＤＭのうちの厳密に１つのＤＭを前記候補リストに含めることと
またはより多くのＤＭ、
を備えるさらなるものの各々とは異なる１つまたは複数のクロマイントラ予測モードをさらに含む、［Ｃ１１］に記載のデバイス。
［Ｃ１９］
前記クロマイントラ予測モードの各々は、前記クロマブロックのそれぞれの隣接クロマブロックのコード化に関連付けられる、
［Ｃ１８］に記載のデバイス。
［Ｃ２０］
前記候補リストの少なくとも１つのそれぞれのクロマイントラ予測モードは、クロミナンスデータを予測するためにのみ使用されるクロマ固有の予測モードである、
［Ｃ１８］に記載のデバイス。